(57)【要約】【課題】高密度化された記録媒体の記録及び／又は再生装置に使用されて好適なレンズクリーナーを備えた記録及び／又は再生装置を提供する。【解決手段】ピックアップベース６と、ピックアップベース６に設けられ、記録媒体９の信号記録面と対峙される対物レンズ７とを備え、記録媒体９に光ビームを照射する光ピックアップ機構４と、記録媒体９を保持するホルダ１６を備え、記録媒体９を保持したホルダ１６を装置本体２内に引き込むと共に、対物レンズ７と近接又は離間させる方向に搬送するローディング機構３と、ホルダ１６に設けられ、対物レンズ７の塵埃等を払拭するクリーニング部材２１と、クリーニング部材２１を記録媒体９の搬送方向と平行する方向に回動させる回動部材２２とを備え、ホルダ１６の搬送と連動してピックアップベース６の移動領域上より退避されるレンズクリーナー２０とを有する。【選択図】図３
2004310891.tif 000002
【特許請求の範囲】
【請求項１】
ピックアップベースと、上記ピックアップベースに設けられ、記録媒体の信号記録面と対峙される対物レンズとを備え、上記記録媒体に光ビームを照射する光ピックアップ機構と、
上記記録媒体を保持するホルダを備え、上記記録媒体を保持した上記ホルダを装置本体内に引き込むと共に、上記対物レンズと近接又は離間させる方向に搬送するローディング機構と、
上記ホルダに設けられ、上記対物レンズの塵埃等を払拭するクリーニング部材と、上記クリーニング部材を上記記録媒体の搬送方向と平行する方向に回動させる回動部材とを備え、上記ホルダの搬送と連動して上記ピックアップベースの移動領域上より退避されるレンズクリーナーとを有する記録及び／又は再生装置。
【請求項２】
上記クリーニング部材は、上記対物レンズと摺動可能な位置に設けられ、
上記対物レンズは、クリーニングの指示を受けて上記ピックアップベースが移動されることにより、上記クリーニング部材と摺動されることを特徴とする請求項１記載の記録及び／又は再生装置。
【請求項３】
上記ホルダを搬送可能に支持すると共に、上記ホルダの搬送方向の一端側側壁に、上記回動部材と当設することにより上記回動部材を上記ホルダの搬送方向と平行な方向に回動させるプレートが設けられたシャーシを備えることを特徴とする請求項１記載の記録及び／又は再生装置。
【発明の詳細な説明】
【０００１】
【発明の属する技術分野】
本発明は、記録媒体に光ビームを照射させることにより情報信号の記録及び／又は再生を行う記録及び／又は再生装置に関し、特に光ビームを照射する対物レンズのレンズクリーナーを備えた記録及び／又は再生装置に関する。
【０００２】
【従来の技術】
従来より、記録媒体が内蔵された記録媒体カートリッジが収納され、記録媒体に対して情報信号の記録又は再生を行う記録及び／又は再生装置が用いられている。この種の記録及び／又は再生装置は、記録媒体に対して情報信号の記録又は再生を行うローディングポジションまで記録媒体カートリッジを搬送するローディング機構と、記録媒体を回転駆動する回転駆動機構と、記録媒体に対して情報信号の記録又は再生を行う光ピックアップ機構とを備える。
【０００３】
光ピックアップ機構は、記録媒体の信号記録面に光ビームを照射する対物レンズと、この対物レンズをフォーカシング方向及びトラッキング方向に駆動するアクチュエータ等を備える。
【０００４】
また、この種の記録及び／又は再生装置においては、対物レンズに塵埃等が付着すると、情報信号の記録又は再生エラーの原因となることから、対物レンズ上に堆積した塵埃を除去するレンズクリーナーを備えるものがある。この種のレンズクリーナーを備えた記録及び／又は再生装置は、例えば、対物レンズを備えた光ピックアップベース上に、対物レンズを保護する透明なレンズカバーと共に、このレンズカバー上に堆積された塵埃等を除去するクリーナーを備えている（特許文献１参照）。クリーナーは、レンズカバーと常時摺接され、光ピックアップベースの移動に伴ってレンズカバーが回動されることにより、レンズカバー上の塵埃等を払拭する。
【０００５】
また、この種の記録及び／又は再生装置においては、光ピックアップベース上に往復運動可能に形成されたレンズクリーナーを備えるものがある（特許文献２参照）。この記録及び／又は再生装置の光ピックアップベースは、対物レンズと、対物レンズ上に形成され、ラックピニオン等の駆動系を用いて駆動されるレンズクリーナーとを備える。そして、この記録及び／又は再生装置では、クリーニング時には、先ず、フォーカシングコイルに電流を流し、対物レンズを上方に移動させ、レンズクリーナーの細毛に当接させる。次いで、トラッキングモータ及びピニオンの回転モータに正弦波状の駆動電流を流すことで、対物レンズ及びレンズクリーナーを往復駆動させる。
【０００６】
このように運動させることにより、対物レンズ上に付着した塵埃がレンズクリーナーの細毛により掻き落とされる。クリーニングが終了した後、対物レンズが初期の定位置に静止するように、フォーカシングコイルに電流を流し位置調整を施す。
【０００７】
【特許文献１】
特開平５−１４４０５８号公報
【特許文献２】
特開平６−１３１９８２号公報
【０００８】
【発明が解決しようとする課題】
ところで、従来の光ディスク装置や光磁気ディスク装置においては、光学ディスクに形成されたピッチを幅０．５μｍとし、対物レンズの開口数ＮＡを０．４５とし、且つ照射されるレーザ光の波長を７８０ｎｍとするものが用いられていた。このような光ディスク装置等においては、情報信号の記録又は再生時において、光学ディスクと対物レンズを保持するアクチュエータの可動部との合焦時におけるワーキングディスタンスを、光学ディスクや対物レンズ等が駆動される際に生じる誤差を考慮して大きくとることが可能であった。
【０００９】
近年、光学ディスクは、高記録密度化を図るためにピッチが狭小化されているため、対物レンズの開口数ＮＡも大きく（例えば０．８５）、且つ照射されるレーザ光の波長も短くなっている（例えば４０５ｎｍの青紫色レーザ）。このため、光ディスク装置等は、光学ディスクと対物レンズを保持するアクチュエータの可動部との合焦時におけるワーキングディスタンスが短くなり、例えば０．１３ｍｍとされる。従って、対物レンズ上の塵埃等を除去するレンズクリーナーがピックアップベース上に搭載された場合、ローディングポジションに降下された記録媒体又は記録媒体カートリッジと対物レンズとのワーキングディスタンスを確保することができなくなる。
【００１０】
また、クリーニングディスクを使用する場合、クリーニングディスクを別部材として購入する必要があり、また定期的なクリーニングを施すことは困難である。
【００１１】
また、レンズクリーナーの駆動系に電流を流すことによりクリーニングを施す場合には、レンズクリーナーの駆動機構を必要とするのみならず、省電力化、装置全体の小型化、軽量化の観点より不利となる。
【００１２】
さらに、光ピックアップ上にレンズクリーナーを搭載する場合、光学ブロックの重量増となり、より高精度なサーボ制御が求められる高密度化された記録媒体の記録及び／又は再生装置においては採用することが困難である。
【００１３】
そこで、本発明は、高密度化された記録媒体を用いた記録媒体カートリッジの記録及び／又は再生装置に使用されて好適なレンズクリーナーを備えた記録及び／又は再生装置を提供することを目的とする。
【００１４】
【課題を解決するための手段】
上述した課題を解決するために、本発明に係る記録及び／又は再生装置は、ピックアップベースと、上記ピックアップベースに設けられ、記録媒体の信号記録面と対峙される対物レンズとを備え、上記記録媒体に光ビームを照射する光ピックアップ機構と、上記記録媒体を保持するホルダを備え、上記記録媒体を保持した上記ホルダを装置本体内に引き込むと共に、上記対物レンズと近接又は離間させる方向に搬送するローディング機構と、上記ホルダに設けられ、上記対物レンズの塵埃等を払拭するクリーニング部材と、上記クリーニング部材を上記記録媒体の搬送方向と平行する方向に回動させる回動部材とを備え、上記ホルダの搬送と連動して上記ピックアップベースの移動領域上より退避されるレンズクリーナーとを有する。
【００１５】
【発明の実施の形態】
以下、本発明が適用された記録及び／又は再生装置について図面を参照しながら詳細に説明する。この記録及び／又は再生装置（以下、「記録再生装置」という。）１は、図１に示すように、略矩形状に形成された装置本体２内に、記録媒体カートリッジを搬送する搬送機構３と、記録媒体に対して情報信号の記録又は再生を行う光ピックアップ機構４と、記録媒体を回転駆動する回転駆動機構５とを備える。
【００１６】
先ず、記録再生装置１に使用される記録媒体カートリッジ８について説明する。この記録媒体カートリッジ８は、記録媒体として光ディスク９が用いられている。この光ディスク９は、例えば、従来より用いられている光ディスクと同じディスク直径１２０ｍｍに形成される一方、トラックピッチが０．３２ｎｍと狭小化され、後述する光ピックアップ機構４のピックアップベース６に搭載された対物レンズ７より波長４０５ｎｍの青紫色レーザが照射されることにより信号が書き込まれるものが用いられる。このため、記録再生装置１は、光ディスク９と対物レンズ７を保持するアクチュエータの可動部との合焦時におけるワーキングディスタンスが短く、例えば０．１３ｍｍとされる。
【００１７】
この光ディスク９を回転可能に収納する記録媒体カートリッジ８は、上下一対のハーフが突き合わせ結合されたカートリッジ本体１０を備える。カートリッジ本体１０は、下面部に光ディスク９の信号記録面を径方向に亘って光ピックアップ機構４及び回転駆動機構５と対峙させる記録再生用開口部１１が形成されている。この記録再生用開口部１１は、記録媒体カートリッジ８の不使用時においては、装置本体２内に回動自在に収納されているシャッタ部材１２により閉塞され、記録媒体カートリッジ８が装置本体２内に挿入されると、装置本体２内に設けられた詳細を省略するシャッタ開閉機構によって開放される。
【００１８】
このような記録媒体カートリッジ８を搬送する搬送機構３は、図２に示すように、装置本体２内に配設されたシャーシ１５内に設けられ、カートリッジ本体１０が挿入、保持されるカートリッジホルダ１６と、カートリッジホルダ１６を移動させる図示しない移動機構とを有する。
【００１９】
記録媒体カートリッジ８を保持するカートリッジホルダ１６は、板金等が折り曲げ形成されてなり、記録媒体カートリッジ８の挿入方向と平行な両側面部１６ａ，１６ｂが断面略コ字状に形成されている。そして、カートリッジホルダ１６は、記録媒体カートリッジ８が挿入されると、カートリッジ本体１０の両側面部を支持することにより、記録媒体カートリッジ８の記録再生用開口部１１を光ピックアップ機構４及び回転駆動機構５に臨ませながらカートリッジ本体１０を保持する。
【００２０】
このカートリッジホルダ１６は、移動機構によってシャーシ１５の前面部１５ａから背面部１５ｂに亘って水平方向に搬送されると共に、光ディスク９をシャーシ１５の下方に配設された光ピックアップ機構４の対物レンズ７と近接させるローディング位置と、光ディスク９を対物レンズ７と離間させるアンローディング位置とに亘って昇降される。
【００２１】
このような搬送機構３は、記録媒体カートリッジ８が挿入される前においては、カートリッジホルダ１６をシャーシ１５の前面部１５ａ側に搬送し、装置本体２の前面部２ａに形成された記録媒体カートリッジ８の挿脱口１９と連続させている。そして、搬送機構３は、記録媒体カートリッジ８の挿入が検出されると、移動機構によってカートリッジホルダ１６をシャーシ１５の背面部１５ｂ側のスタンバイ位置に搬送する。このとき、搬送機構３は、シャッタ開閉機構によって記録媒体カートリッジ８のシャッタ部材１２を開放し、光ディスク９の信号記録面を外部に臨ませる。その後、搬送機構３は、移動機構によりカートリッジホルダ１６を光ディスク９と光ピックアップ機構４の対物レンズ７と近接させるローディング位置に下降させる。
【００２２】
また、記録媒体カートリッジ８がローディング位置に搬送されると、光ディスク９は、回転駆動機構５のディスクテーブルに回転可能に係合されると共に、光ピックアップ機構４の対物レンズ７と対峙される。このとき、光ディスク９と対物レンズ７とのワーキングディスクタンスは、上述したように、０．１３ｍｍ程度とされる。
【００２３】
光ディスク９に対する情報信号の記録又は再生が終了し、記録媒体カートリッジ８の排出が指示されると、搬送機構３は、移動機構によりカートリッジホルダ１６を光ディスク９と対物レンズ７とを離間させるスタンバイ位置に上昇させるとともに、シャーシ１５の前面部１５ａ側へ水平に搬送する。このとき、搬送機構３は、シャッタ開閉機構によって記録媒体カートリッジ８のシャッタ部材１２を閉塞し、光ディスク９が外部に曝された状態で排出されることを防止する。
【００２４】
また、カートリッジホルダ１６は、背面部１６ｃに対物レンズ７のクリーニングを行うレンズクリーナー２０が設けられている。レンズクリーナー２０は、図３に示すように、対物レンズ７表面をクリーニングするクリーナー本体２１と、クリーナー本体２１を回動させる回動部材２２と、回動部材２２を支持する回動支持部材２３とを備える。そして、レンズクリーナー２０は、シャーシ１５に設けられたプレート１７と当接することにより、クリーナー本体２１がカートリッジホルダ１６の主面部と平行な方向に回動され、対物レンズ７上より退避されるものである。
【００２５】
即ち、上述したように、高記録密度化された光ディスク９においては、光ディスク９と対物レンズ７とのワーキングディスタンスが極めて短くなっているため、レンズクリーナーをピックアップベース上に対物レンズと共に搭載すると、光ディスクをローディングした際に、相当の高さを有するレンズクリーナーが障害となり、必要なワーキングディスタンスを確保することができない。
【００２６】
この点、レンズクリーナー２０は、カートリッジホルダ１６の背面部１６ｃに設けられ、記録媒体カートリッジ８のローディング位置への搬送と連動して対物レンズ７上より退避されるものであるため、光ディスク９と対物レンズ７とのワーキングディスタンスを確実に確保することができる。
【００２７】
レンズクリーナー２０のクリーナー本体２１は、対物レンズ７表面を摺動してレンズ表面に堆積された塵埃等を払拭する細毛２５と、細毛２５が植毛されている基体部２６とを有する。細毛２５は、対物レンズ７側に垂下されたとき、対物レンズ７表面を摺接可能な長さに形成されている。このクリーナー本体２１は、基体部２６が回動部材２２に接続されることにより、細毛２５が対物レンズ７側に垂下されるクリーニング位置と、細毛２５がシャーシ１５の背面部１５ｂ側に回動される退避位置とに亘って回動される。
【００２８】
回動部材２２は、クリーナー本体２１が取り付けられている取付部２８と、回動支持部材２３に回動可能に接続される接続部２９と、シャーシ１５のプレート１７と当接される当接部３０とが形成されている。
【００２９】
クリーナー本体２１が取り付けられる取付部２８は、クリーナー本体２１の基体部２６よりもやや広い大きさを有する板状体からなり、長手方向の一側面より接続部２９が形成され、幅方向の一側面より当接部３０が形成されている。
【００３０】
回動支持部材２３と接続される接続部２９は、断面略Ｌ字状の板状体からなり、回動支持部材２３側に面する立壁２９ａに回動部材２２を回動可能に支持する回動軸３２が挿通される挿通孔３３が穿設されている。接続部２９は、回動軸３２が挿通されることにより、挿通孔３３を回転中心として回転される。
【００３１】
シャーシ１５のプレート１７と当接される当接部３０は、取付部２８の一側面より下方に湾曲し、略半円筒状に形成されている。この当接部３０は、この下方に湾曲する外周面をシャーシ１５の背面部１５ｂ側に向けて配設され、シャーシ１５の背面部１５ｂに形成されたプレート１７と対峙されている。そして、当接部３０は、カートリッジホルダ１６がシャーシ１５の背面部１５ｂ側に水平移動されると、プレート１７に当接され、外周面３０ａに沿ってプレート１７が摺動するため、プレート１７の上方に回動されていく。そして、カートリッジホルダ１６が光ディスク９と対物レンズ７とが近接されるローディング位置に下降されると、当接部３０は、外周面３０ａに沿って摺動するプレート１７によって、さらに回動される。これにより、レンズクリーナー２０は、クリーナー本体２１が対物レンズ７上より退避される。
【００３２】
このような回動部材２２が回動自在に接続される回動支持部材２３は、カートリッジホルダ１６の上面部１６ｄ上に接続される接続部３５と、接続部３５の側面部より折り曲げ形成され、回動部材２２の立壁２９ａと隣接される支持壁３６とを有する。接続部３５は、カートリッジホルダ１６の上面部１６ｄから背面部１６ｃに沿って折り曲げ形成されてなり、カートリッジホルダ１６の上面部１６ｄにビス等により取り付けられている。そして、接続部３５は、カートリッジホルダ１６の背面部１６ｃに沿った面よりシャーシ１５の背面部１５ｂ側に向けて支持壁３６が形成されている。この支持壁３６は、回動部材２２の立壁２９ａと同様に、回動軸３２が挿通される挿通孔３７，３７が形成されている。そして、支持壁３６は、立壁２９ａの挿通孔３３と挿通孔３７，３７とが連続され、回動軸３２が挿通されることにより、回動部材２２が回動可能に接続される。
【００３３】
一方、回動部材２２の当接部３０と当接されるプレート１７は、シャーシ１５の背面部１５ｂに当接部３０と対峙する位置に設けられている。プレート１７は、シャーシ１５の背面部１５ｄよりやや前面部１５側に張り出すことにより、回動部材２２の当接部３０の外周面３０ａを摺動して、回動部材２２を回動させる。
【００３４】
また、プレート１７が取り付けられているシャーシ１５は、板金等を略矩形状に折り曲げ形成されてなり、装置本体２内に組み付けられている。シャーシ１５は、下面側が開放され、装置本体２内に配設された光ピックアップ機構４及び回転駆動機構５がシャーシ内部に臨まされている。また、シャーシ１５は、カートリッジホルダ１６が移動自在に組み付けられ、搬送機構３によってカートリッジホルダ１６が前面部１５ａから背面部１５ｂに亘って搬送されると共に、光ピックアップ機構４及び回転駆動機構５側に降下される。
【００３５】
また、シャーシ１５は、背面部１５ｂがプレート１７を取り付け可能に下方に折り曲げられている。この背面部１５ｂは、カートリッジホルダ１６がローディング位置に下降されたとき、背面部１５ｂの下側をレンズクリーナー２０のクリーナー本体２１及び回動部材２２が回動する。
【００３６】
このようなレンズクリーナー２０は、カートリッジホルダ１６内に記録媒体カートリッジ８が挿入されていない状態においては、カートリッジホルダ１６がシャーシ１５の背面部１５ｄのスタンバイ位置に搬送され、回転駆動機構５のディスクテーブル近傍の内周側で待機している光ピックアップ機構４のピックアップベース６とは離間した位置に待機される。このとき、図４に示すように、レンズクリーナー２０は、回動部材２２の当接部３０とシャーシ１５の背面部１５ｂに設けられたプレート１７とは当接されておらず、クリーナー本体２１は、細毛２５が下方に垂下された状態とされている。
【００３７】
この状態で、対物レンズ７のクリーニングが指示されると、光ピックアップ機構４のピックアップベース６がガイド軸に沿って内周側から外周側へ移動し、また外周側から内周側へ移動される。細毛２５は、下方に垂下された状態においては、対物レンズ７と摺動される長さに形成されている。従って、レンズクリーナー２０は、図５に示すように、ピックアップベース６に設けられた対物レンズ７が、下方に垂下されたレンズクリーナー２０の細毛２５に摺接され、レンズ表面に堆積された塵埃等を払拭する。
【００３８】
また、カートリッジホルダ１６に記録媒体カートリッジ８が挿入され、カートリッジホルダ１６がシャーシ１５の背面部１５ｂ側に搬送されると、レンズクリーナー２０は、回動部材２２の当接部３０が、シャーシ１５のプレート１７に当接され、当接部３０の外周面３０ａに沿ってプレート１７が摺動される。これにより、レンズクリーナー２０は、回動部材２２が回動軸３２に支持されて挿通孔３３を中心に図３中矢印Ｒ方向に回転される。従って、回動部材２２に取り付けられたクリーナー本体２１は、回動部材２２と同様に図３中矢印Ｒ方向に回動され、細毛２５がシャーシ１５の背面部１５ｂ側に回動される。また、クリーナー本体２１は、図６に示すように、カートリッジホルダ１６が光ディスク９と対物レンズ７とが近接するローディング位置に下降されると、回動部材２２及びクリーナー本体２１がさらにプレート１７によってシャーシ１５の背面部１５ｂの下側を通りカートリッジホルダ１６の背面部１６ｃ外へ回動され、対物レンズ７の移動領域上より退避される。
【００３９】
これにより、対物レンズ７と光ディスク９との間の領域からレンズクリーナー２０が退避されるため、レンズクリーナー２０がローディングの障害となることなく、光ディスク９を対物レンズ７と近接させるローディング位置に確実に搬送することができる。
【００４０】
その後、光ディスク９に対する情報信号の記録又は再生が終了し、記録媒体カートリッジ８が装置本体２外へ排出するため、カートリッジホルダ１６が光ディスク９と対物レンズ７とが離間するスタンバイ位置へ上昇されると共に、シャーシ１５の前面部１５ａ側へ搬送されると、レンズクリーナー２０は、回動部材２２とプレート１７との当接が解かれるため、回動部材２２及びクリーナー本体２１が図３中反矢印Ｒ方向に回動される。これにより、レンズクリーナー２０は、クリーナー本体２１に設けられた細毛２５が対物レンズ７側に垂下した状態で待機される。また、対物レンズ７が設けられたピックアップベース６は、回転駆動機構５のディスクテーブル近傍の内周側で待機し、対物レンズ７とレンズクリーナー２０とが離間した状態とされる。
【００４１】
このようなレンズクリーナー２０によれば、記録媒体カートリッジ８のローディング位置への搬送と連動して、クリーナー本体２１が対物レンズ７の移動領域上より退避されるため、光ディスク９と対物レンズ７とのワーキングディスタンスを確実に確保することができる。
【００４２】
また、レンズクリーナー２０は、記録媒体カートリッジ８が挿入されていないスタンバイ状態において、クリーニングの指示を受けたときに、ピックアップベース６が往復移動され、対物レンズ７のクリーニングが行われるものであるため、クリーニングの回数を必要最小限にとどめることができ、対物レンズ７表面の保護を図ると共に、レンズ傾き精度への影響を最小に抑えることができる。
【００４３】
さらに、レンズクリーナー２０では、ピックアップベース６のシーク動作を利用して一定の速度で対物レンズ７が摺動されるため、安定したクリーニング効果を得ることができる。また、レンズクリーナー２０は、カートリッジホルダ１６の搬送動作を利用して対物レンズ７上よりクリーナー本体２１が退避されるため、クリーナー本体２１の退避用の駆動系及び電力を必要とせず、部品点数の削減及び省電力化に資することができる。
【００４４】
ローディング位置に搬送された光ディスク９に対して情報信号の記録又は再生を行う光ピックアップ機構４は、略矩形の筐体からなるピックアップベース６を備え、このピックアップベース６に、少なくとも、半導体レーザなどの図示しない光源と、この光源から照射した光ビームを光ディスク９の信号記録面に収束させて照射する対物レンズ７と、光ディスク９の記録面から反射の戻り光を検出する図示しない光検出器と、対物レンズ７を光ディスク９のフォーカシング方向及びトラッキング方向に駆動させる駆動系が配設されている。
【００４５】
ピックアップベース６は、長手方向の両端側６ａ，６ｂにピックアップベース６の移動をガイドする一対のガイド軸が挿通される挿通孔４３，４４が形成されている。また、ピックアップベース６は、ガイド軸に隣接してガイド軸と平行に光ディスク９の径方向に亘って配設されているリードスクリューが係合されている。
【００４６】
ガイド軸は、光ディスク９の径方向に亘って平行に設けられ、ピックアップベース６の両端部６ａ，６ｂに挿通されることにより、ピックアップベース６の移動をガイドする。
【００４７】
リードスクリューは、ガイド軸と平行に設けられるとともに、ピックアップベース６の一側縁部に係合されている。このリードスクリューは、一端にリードスクリューを回転駆動する送りモータが取り付けられ、他端において軸受けに回転自在に支持されている。リードスクリューの軸部には、ネジ溝が形成され、ピックアップベース６がこのネジ溝を摺動可能に係合されている。そして、リードスクリューは、送りモータに回転駆動されることにより、ピックアップベース６を光ディスク９の径方向に亘って移動させることができる。
【００４８】
シャーシ１５の下方に設けられ、ローディング位置に搬送された記録媒体カートリッジ８の光ディスク９を回転駆動する回転駆動機構５は、光ディスク９をクランプするディスクテーブル４６と、先端にディスクテーブル４６が設けられたスピンドル軸を備えるスピンドルモータとを有する。
【００４９】
そして、回転駆動機構５は、カートリッジホルダ１６がローディング位置まで搬送され、光ディスク９がディスクテーブル４６にクランプされると、スピンドルモータを駆動することによってディスクテーブル４６を回転させ、光ディスク９をＣＬＶ（Ｃｏｎｓｔａｎｔ  Ｌｉｎｅａｒ  Ｖｅｌｏｃｉｔｙ）、ＣＡＶ（Ｃｏｎｓｔａｎｔ  Ａｎｇｕｌａｒ  Ｖｅｌｏｃｉｔｙ）又はこれらの組み合わせで回転する。
【００５０】
以上、光ディスクを収納したディスクカートリッジの記録再生装置を例に説明したが、本発明は、上述した光ディスクカートリッジの記録再生装置に限定されて適用されるものではなく、単体で取り扱われるその他の情報記録媒体を収納したディスクカートリッジや、カートリッジに収納されずに用いられる各種情報記録媒体の記録及び／又は再生装置に適用できる。
【００５１】
【発明の効果】
以上詳細に説明したように、本発明にかかる記録及び／又は再生装置によれば、記録媒体のローディング操作と連動して、クリーニング部材が対物レンズの移動領域上より退避されるため、記録媒体と対物レンズとのワーキングディスタンスが短くされた場合にも、確実に記録媒体と対物レンズとのワーキングディスタンスを確保することができる。
【００５２】
また、本発明にかかる記録及び／又は再生装置は、レンズクリーナーが対物レンズ側に垂下された状態において、クリーニングの指示を受けたピックアップベースが移動されることにより、クリーニング部材に対物レンズが摺動されることから、クリーニングの回数を必要最小限に留めることができ、対物レンズの表面の保護を図ると共に、レンズ傾き精度への影響を最小に抑えることができる。
【図面の簡単な説明】
【図１】本発明が適用された記録再生装置を示す分解斜視図である。
【図２】上記記録再生装置のカートリッジホルダ、シャーシ及びピックアップベースを示す斜視図である。
【図３】レンズクリーナーを示す分解斜視図である。
【図４】スタンバイ状態におけるレンズクリーナー及び光ピックアップ機構を示す側面図である。
【図５】クリーニング作業中のレンズクリーナー及び光ピックアップ機構を示す側面図である。
【図６】シャーシの背面部側に回動されたレンズクリーナーを示す側面図である。
【符号の説明】
１  記録再生装置、２  装置本体、３  搬送機構、４  光ピックアップ機構、５回転駆動機構、６  ピックアップベース、７  対物レンズ、８  記録媒体カートリッジ、９  光ディスク、１０  カートリッジ本体、１５  シャーシ、１６  カートリッジホルダ、１７  プレート、２０  レンズクリーナー、２１  クリーナー本体、２２  回動部材、２３  回動支持部材、２５  細毛、２８  取付部、２９  接続部、３０  当接部、３０ａ  外周面、３２  回動軸、３３  挿通孔、３５  接続部、４３  挿通孔、４４  挿通孔
【図１】
2004310891.tif 000003
【図２】
2004310891.tif 000004
【図３】
2004310891.tif 000005
【図４】
2004310891.tif 000006
【図５】
2004310891.tif 000007
【図６】
2004310891.tif 000008